(57)【要約】【課題】各飼育水槽へろ過処理水を供給するための高所貯水槽を別途設置する必要のない、高架貯水槽付重力式自動逆洗砂ろ過装置を提供する。【解決手段】ろ過処理された水を貯水する高架貯水槽１と、高架貯水槽１の下部に配置された逆洗時の水を貯水する逆洗用水水槽２と、逆洗用水水槽２の下部に配置されたろ過室３と、ろ過室３の下部に配置された処理水水槽４と、ろ過室３と処理水水槽４との間に配置されたろ過材１０とを有し、処理水の貯水時には、ろ過室３に送水された水がろ過材１０によりろ過処理された後、処理水水槽４を経由して逆洗用水水槽及び高架貯水槽１に送られて貯水され、処理水の供給時には、高架貯水槽１に貯水された水が重力により供給され、ろ過材１０の逆洗時には、逆洗用水水槽２に貯水された水が重力により処理水水槽４に送られてろ過材１０を洗浄した後、ろ過室３を経由して外に排出されるようにした。【選択図】図１
2017148006.tif 000002
【特許請求の範囲】
【請求項１】
ろ過処理された水を貯水する高架貯水槽と、前記高架貯水槽の下部に配置された逆洗時の水を貯水する逆洗用水水槽と、前記逆洗用水水槽の下部に配置されたろ過室と、前記ろ過室の下部に配置された処理水水槽と、前記ろ過室と前記処理水水槽との間に配置されたろ過材とを有し、
処理水の貯水時には、前記ろ過室に送水された水が前記ろ過材によりろ過処理された後、前記処理水水槽を経由して前記逆洗用水水槽及び前記高架貯水槽に送られて貯水され、
処理水の供給時には、前記高架貯水槽に貯水された水が重力により供給され、
ろ過材の逆洗時には、前記逆洗用水水槽に貯水された水が重力により前記処理水水槽に送られて前記ろ過材を洗浄した後、前記ろ過室を経由して外に排出されるようにしたことを特徴とする高架貯水槽付重力式自動逆洗砂ろ過装置。
【発明の詳細な説明】
【技術分野】
【０００１】
本発明は、魚介類等の飼育水槽の飼育水として海水等をろ過処理するための、砂ろ過装置に関するものである。
【背景技術】
【０００２】
従来、魚介類等の飼育水槽の飼育水として用いる海水等をろ過するための砂ろ過装置が用いられているが、不純物が混じった海水等のろ過を続けると、装置内のろ過室のろ過材の機能が低下する。そのため、作業員が装置内のろ過室に入り込み、ろ過材の取り替えや補修、点検をする必要があり、その作業は極めて煩雑であった。
【０００３】
これに対して、砂ろ過装置の上部に、逆洗用水としてろ過処理後の処理水を貯水する逆洗用水水槽を設け、逆洗時に重力を利用してろ過材の洗浄を行うようにした重力式自動逆洗砂ろ過装置が用いられている（例えば、特許文献１参照）。
【０００４】
ここで、図３及び図４を参照して、従来の重力式自動逆洗砂ろ過装置について説明する。図３は、従来例に係る重力式自動逆洗砂ろ過装置を利用したろ過処理施設を示す平面図であり、図４は、従来例に係る重力式自動逆洗砂ろ過装置の説明図である。なお図４には、同一の構成の重力式自動逆洗砂ろ過装置を２台記載している。
【０００５】
ろ過処理施設には、複数の重力式自動逆洗砂ろ過装置２００が配置されている。重力式自動逆洗砂ろ過装置２００は、逆洗時の水を貯水する逆洗用水水槽２と、逆洗用水水槽２の下部に配置されたろ過室３と、ろ過室３の下部に配置された処理水水槽４と、ろ過室３と処理水水槽４との間に配置されたろ過材１０とを有している。
【０００６】
そして、処理水の貯水時には、図示しないポンプによりろ過室３に送水された水が、ろ過材１０によりろ過処理された後、処理水水槽４を経由して逆洗用水水槽２に送られて貯水されるようになっている。また、ろ過材１０の逆洗時には、逆洗用水水槽２に貯水された水が重力により処理水水槽４に送られてろ過材１０を洗浄した後、ろ過室３を経由して外に排出されるようになっている。
【０００７】
一方、重力式自動逆洗砂ろ過装置２００によりろ過処理された水は、送水管２６を経由して一次貯水槽５に貯水される。そして、ポンプ４０の揚力により送水管２７を経由して高架貯水槽７に送水されて貯水され、必要に応じて重力により各飼育水槽へと供給されるようになっている。
【先行技術文献】
【特許文献】
【０００８】
【特許文献１】特開２０１５−２２３５８６号公報
【発明の概要】
【発明が解決しようとする課題】
【０００９】
ところで、ろ過処理された水を各飼育水槽へ供給するまで貯水しておくための高架貯水槽７は、重力による供給のための位置エネルギーを確保する必要から高い位置（例えば、７〜８ｍ）に設置する必要がある。そのため、これまでは基礎９の上に架台８を設けてその上に設置していた。
【００１０】
しかしながら、ろ過処理施設の老朽化に伴い、高架貯水槽７についても改修が必要となるが、大量のろ過処理された水を高い位置に貯水するためには、基礎９や架台８も含めた大規模な工事が必要となり、工期が長くなりコスト負担も大きい。また、ろ過処理施設を新設する場合にも同様の問題が生じる。
【００１１】
本発明は、上記従来の課題を解決するものであり、各飼育水槽へろ過処理された水を供給するための高架貯水槽を別途設置する必要のない、高架貯水槽付重力式自動逆洗砂ろ過装置を提供するものである。
【課題を解決するための手段】
【００１２】
上記課題を解決するため、本発明の高架貯水槽付重力式自動逆洗砂ろ過装置は、ろ過処理された水を貯水する高架貯水槽と、前記高架貯水槽の下部に配置された逆洗時の水を貯水する逆洗用水水槽と、前記逆洗用水水槽の下部に配置されたろ過室と、前記ろ過室の下部に配置された処理水水槽と、前記ろ過室と前記処理水水槽との間に配置されたろ過材とを有し、処理水の貯水時には、前記ろ過室に送水された水が前記ろ過材によりろ過処理された後、前記処理水水槽を経由して前記逆洗用水水槽及び前記高架貯水槽に送られて貯水され、処理水の供給時には、前記高架貯水槽に貯水された水が重力により供給され、ろ過材の逆洗時には、前記逆洗用水水槽に貯水された水が重力により前記処理水水槽に送られて前記ろ過材を洗浄した後、前記ろ過室を経由して外に排出されるようにしたことを特徴とする。
【発明の効果】
【００１３】
本発明の高架貯水槽付重力式自動逆洗砂ろ過装置は、ろ過処理された水を貯水する高架貯水槽と、高架貯水槽の下部に配置された逆洗時の水を貯水する逆洗用水水槽と、逆洗用水水槽の下部に配置されたろ過室と、ろ過室の下部に配置された処理水水槽と、ろ過室と処理水水槽との間に配置されたろ過材とを有している。そして、処理水の貯水時には、ろ過室に送水された水がろ過材によりろ過処理された後、処理水水槽を経由して逆洗用水水槽及び高架貯水槽に送られて貯水され、処理水の供給時には、高架貯水槽に貯水された水が重力により供給され、ろ過材の逆洗時には、逆洗用水水槽に貯水された水が重力により処理水水槽に送られてろ過材を洗浄した後、ろ過室を経由して外に排出されるようになっている。
【００１４】
従って、ろ過処理した水は、上部の高架貯水槽に貯水して必要に応じて重力により供給先である各飼育水槽に供給することができるので、各飼育水槽へろ過処理水を供給するための高架貯水槽を別途設置する必要がない。重力式自動逆洗砂ろ過装置は逆洗用水を貯水するものであるため、元々基礎を頑丈に設計する必要があり、高架貯水槽を追加したとしても基礎工事が大幅に増加することはない。特に、既存の重力式自動逆洗砂ろ過装置を代替えする場合には、既存の基礎が有効に活用できる。
【００１５】
このように、本発明によれば、各飼育水槽へろ過処理水を供給するための高架貯水槽を別途設置する必要のない、高架貯水槽付重力式自動逆洗砂ろ過装置を提供することができる。
【図面の簡単な説明】
【００１６】
【図１】本発明の実施形態に係る高架貯水槽付重力式自動逆洗砂ろ過装置の説明図である。
【図２】本発明の実施形態に係る高架貯水槽付重力式自動逆洗砂ろ過装置の説明図である。
【図３】従来例に係る重力式自動逆洗砂ろ過装置を利用したろ過処理施設を示す平面図である。
【図４】従来例に係る重力式自動逆洗砂ろ過装置の説明図である。
【発明を実施するための形態】
【００１７】
次に、図１及び図２を参照して、本発明の実施形態に係る高架貯水槽付重力式自動逆洗砂ろ過装置について説明する。図１及び図２は、本実施形態に係る高架貯水槽付重力式自動逆洗砂ろ過装置１００の説明図である。なお、図１は、処理水の貯水時及び処理水の供給時の水の流れを示しており、図２は、ろ過材の逆洗時の水の流れを示している。また図１及び図２には、同一の構成の高架貯水槽付重力式自動逆洗砂ろ過装置を２台記載している。
【００１８】
図１及び図２に示すように、高架貯水槽付重力式自動逆洗砂ろ過装置１００は、主として、高架貯水槽１、逆洗用水水槽２、ろ過室３及び処理水水槽４から構成されている。
【００１９】
高架貯水槽１は、逆洗用水水槽２の上部に配置されており、ろ過処理した水を貯水するためのものである。逆洗用水水槽２は、高架貯水槽１の下部に配置されており、ろ過処理した水をろ過材の逆洗用水として貯水するようになっている。
【００２０】
ろ過室３は、逆洗用水水槽２の下部に配置されており、図示しないポンプにより送水された海水が入る部分である。ろ過室３の下部には、処理水水槽４が配置されている。ろ過室３と処理水水槽４との間には、ろ過材１０が配置されている。
【００２１】
次に、図１を参照して、処理水の貯水時の水の流れについて説明する。処理水の貯水時には、図示しないポンプの圧力により、水（海水等）が送水管２１を経由してろ過室３に送水される。ろ過室３に送水された水は、ろ過材１０を上から下に通過してろ過処理された後、処理水水槽４に送られる。そして、処理水水槽４に送られた水は、送水管２２を経由して、逆洗用水水槽２に送られて逆洗用水として貯水される。さらに、逆洗用水水槽２内の水が一定量に達したことをセンサ等が感知すると、次に送水管２３、送水管２４を経由して高架貯水槽１に送られて貯水される。ろ過室３→処理水水槽４→逆洗用水水槽２及び高架貯水槽１への水の流れは、いずれもろ過室３に水を供給する図示しないポンプの圧力により行われる。
【００２２】
次に、図１を参照して、処理水の供給時の水の流れについて説明する。処理水の飼育水槽への供給時には、高架貯水槽１に貯水された水が、重力により送水管２５を経由して供給先である各飼育水槽へと供給される。
【００２３】
次に、図２を参照して、ろ過材の逆洗時の水の流れについて説明する。ろ過材１０の逆洗時には、逆洗用水水槽２に貯水された水が重力により送水管２２を経由して処理水水槽４に送られてろ過材１０を下から上に通過して洗浄した後、ろ過室３に設けられた排水管３０の排水口３１を経由して、排水口３２から外に排出される。逆洗用水水槽２→処理水水槽４→ろ過室３→排水管３０への水の流れは、いずれも逆洗用水水槽２に貯水された水の重力により行われる。
【００２４】
なお、処理水の貯水時、処理水の供給時及びろ過材の逆洗時には、それぞれの水の流れに応じて各送水管に設置された弁（バルブ）が適宜開閉される。
【００２５】
高架貯水槽付重力式自動逆洗砂ろ過装置１００を構成する高架貯水槽１、逆洗用水水槽２、ろ過室３及び処理水水槽４は、例えばＦＲＰにより一体的に形成される。製造にあたっては、内部型枠とし外部ＦＲＰ機械巻方式により製造することが好ましい。
【００２６】
高架貯水槽付重力式自動逆洗砂ろ過装置１００の下には、基礎６が構築されている。基礎６は、高架貯水槽付重力式自動逆洗砂ろ過装置１００の各槽に入る水の量を勘案して構築する。
【００２７】
本実施形態に係る高架貯水槽付重力式自動逆洗砂ろ過装置１００は、ろ過処理された水を貯水する高架貯水槽１と、高架貯水槽１の下部に配置された逆洗時の水を貯水する逆洗用水水槽２と、逆洗用水水槽２の下部に配置されたろ過室３と、ろ過室３の下部に配置された処理水水槽４と、ろ過室３と処理水水槽４との間に配置されたろ過材１０とを有している。そして、処理水の貯水時には、ろ過室２に送水された水がろ過材１０によりろ過処理された後、処理水水槽４を経由して逆洗用水水槽２及び高架貯水槽１に送られて貯水され、処理水の供給時には、高架貯水槽１に貯水された水が重力により供給され、ろ過材１０の逆洗時には、逆洗用水水槽２に貯水された水が重力により処理水水槽４に送られてろ過材１０を洗浄した後、ろ過室３を経由して外に排出されるようになっている。
【００２８】
従って、ろ過処理した水は、上部の高架貯水槽１に貯水して必要に応じて重力により供給先である各飼育水槽に供給することができるので、各飼育水槽へろ過処理水を供給するための高架貯水槽を別途設置する必要がない。重力式自動逆洗砂ろ過装置は逆洗用水を貯水するものであるため、元々基礎を頑丈に設計する必要があり、高架貯水槽１を追加したとしても基礎工事が大幅に増加することはない。特に、既存の重力式自動逆洗砂ろ過装置を代替えする場合には、既存の基礎が有効に活用できる。
【００２９】
このように、本実施形態に係る高架貯水槽付重力式自動逆洗砂ろ過装置１００によれば、各飼育水槽へろ過処理水を供給するための高所貯水槽を別途設置する必要がなく、工事費用の削減や設置場所の有効活用にも効果的である。
【００３０】
以上、本発明の実施形態に係る高架貯水槽付重力式自動逆洗砂ろ過装置について説明したが、本発明は上述した実施の形態に限定されるわけではなく、その他種々の変更が可能である。
【符号の説明】
【００３１】
１  高架貯水槽
２  逆洗用水水槽
３  ろ過室
４  処理水水槽
５  一次貯水槽
６  基礎
７  高架貯水槽
８  架台
９  基礎
２１  送水管
２２  送水管
２３  送水管
２４  送水管
２５  送水管
２６  送水管
２７  送水管
３０  排水管
３１  排水口
３２  排水口
４０  ポンプ
１００  高架貯水槽付重力式自動逆洗砂ろ過装置
２００  重力式自動逆洗砂ろ過装置
【図１】
2017148006.tif 000003
【図２】
2017148006.tif 000004
【図３】
2017148006.tif 000005
【図４】
2017148006.tif 000006